(57)【特許請求の範囲】
【請求項１】
複数個の素電池を接続リード板により直列接続した電池ブロックと、略Ｌ字型に形成された複数の薄板状の配線リードを、その両面に貼り合わせた絶縁性フィルムでその相互位置と間隔に保持したバス配線と、前記バス配線の配線リードの一部に接続固定した固定抵抗と、前記電池ブロックを内部に収容する合成樹脂製の上ケースおよび下ケースと、前記上ケースまたは下ケースのいずれか一方に設けた端子露出部に、前記バス配線の一部に形成した出入力端子を臨ませるとともに、バス配線の形状に合致してその内側に位置する端子ホルダーとを備え、前記端子ホルダーには、前記固定抵抗と当接する位置に貫通孔が設けられている電池パック。
【請求項２】
固定抵抗は、炭素被膜固定抵抗よりなる請求項１記載の電池パック。
【請求項３】
バス配線には、固定抵抗と当接する位置に穴が設けられている請求項１記載の電池パック。
【請求項４】
固定抵抗の厚みは、端子ホルダーの板厚より薄い請求項１記載の電池パック。
【発明の詳細な説明】
【０００１】
【発明の属する技術分野】
本発明は、容量の異なる複数種の電池パックの使用を対応可能とした小型携帯通信機等における電源としての電池パックの改良に関するものである。
【０００２】
【従来の技術】
近年の小型携帯通信機の急速な普及に伴い、それに使用する電池パックも、年々その需要が拡大してきている。
【０００３】
電池パックは一般的に、電気絶縁性を有する合成樹脂製の上・下ケースの中に、１個もしくは複数個の素電池と、これら素電池と出入力端子とを電気的に回路接続する配線回路、さらには回路保護用の安全部品等を内臓している。この上・下ケースは、それぞれの被接合面に形設された凹凸の係合と超音波溶着により一体に接合され、電池パック内部の各部品を支持固定している。
【０００４】
携帯電話機に代表される小型携帯通信機は、通信機本体に対し、電池容量の異なる複数種の電池パックの使用を対応可能とする場合が多い。この場合、それぞれの電池パックは、通信機本体との嵌合部はそれぞれ同一形状とし、容量の違いによる素電池形状の違いにより、電池パックの外形形状が異なるものである。また、この様な容量の異なる電池パックの充電制御を正しく行う為には、各電池パックの電池容量を充電器側で正しく識別する必要がある。この為、例えば電池パック内の配線回路の一部に、電池容量により、その抵抗値が異なる固定抵抗を接続固定しておく場合が多い。そして、充電器は、セットされた電池パックの抵抗値の違いを感知することによって、それぞれの電池パックの充電電流の制御を行っている。
【０００５】
電池パック内の配線回路は、一般的にプリント配線板が用いられ、容量識別用の固定抵抗は、プリント配線板上に半田付けにより固定される。更に、このプリント配線板は、前記した複数種の電池パックにおいて基本的に共用化され、容量識別用の固定抵抗の違いのみで、区別、管理されることが多い。
【０００６】
【発明が解決しようとする課題】
しかしながら、上記従来の構成では、容量の異なる複数種の電池パックにおいて、プリント配線板は、容量識別用の固定抵抗の違いのみで区別されている為、その製造工程において誤使用されることが多いという欠点を有していた。
【０００７】
また、プリント配線板は、電池パック内において、そのスペースを多く占めてしまい、小型化を要求される携帯通信機において、電池パック形状が大きくなるという欠点も有していた。
【０００８】
更に、プリント配線板に接続固定された固定抵抗は、製造工程において、他の部品とぶつける等の外部衝撃を受け、部品破壊を起こすことがあるという欠点も有していた。
【０００９】
本発明は、このような従来の課題を解決するものであり、製造工程において、容量識別用の固定抵抗の誤使用を防止でき、また、配線回路を有する電池パックにおいても、その形状を比較的小さくすることができ、かつ、外部からの衝撃を受けても、固定抵抗の部品破壊を防止できる電池パックを供給することを目的とする。
【００１０】
【課題を解決するための手段】
上記の目的を達成するために本発明の電池パックは、複数の素電池を接続リード板により直列接続した電池ブロックと、略Ｌ字型に形成された複数の薄板状の配線リードを、その両面に貼り合わせた絶縁性フィルムでその相互位置と間隔に保持したバス配線と、バス配線の配線リードの一部に接続固定した固定抵抗と、電池ブロックを内部に収容する合成樹脂製の上ケースおよび下ケースと、上ケースまたは下ケースのいずれか一方に設けた端子露出部に、バス配線の一部に形成した出入力端子部を臨ませるとともに、バス配線の形状に合致してその内側に位置する端子ホルダーとを備え、端子ホルダーには、固定抵抗と当接する位置に貫通孔が設けられているものである。
【００１１】
【発明の実施の形態】
本願の請求項１記載の発明は、複数の素電池を接続リード板により直列接続した電池ブロックと、略Ｌ字型に形成された複数の薄板状の配線リードを、その両面に貼り合わせた絶縁フィルムでその相互位置と間隔に保持したバス配線と、前記バス配線の配線リードの一部に接続固定された固定抵抗と、前記電池ブロックを内部に収容する合成樹脂製の上ケースおよび下ケースと、前記上ケースおよび下ケースのいずれか一方に設けた端子露出部に、前記バス配線の一部に形成した出入力端子を臨ませるとともに、バス配線の形状に合致してその内側に位置する端子ホルダーとを備え、前記端子ホルダーには、前記固定抵抗と当接する位置に貫通孔が設けられている電池パックである。
【００１２】
このことにより、バス配線に接続固定された固定抵抗は、端子ホルダーとバス配線が嵌合された状態でも、端子ホルダーの貫通孔より直接目視確認することができる為、製造工程においても抵抗値を示すカラーコードの確認作業が容易となり、抵抗値の誤使用を未然に防止できる電池パックを供給することができる。
【００１３】
請求項３に記載の発明は、バス配線にも固定抵抗と当接する位置に穴が設けられていることにより、端子ホルダー側からだけでなく、バス配線側からも固定抵抗を直接目視確認することができる為、更に抵抗値の誤使用を防止できる電池パックを供給することができる。
【００１４】
請求項４に記載の発明は、固定抵抗の厚みを端子ホルダーの板厚より薄いものを使用することにより、端子ホルダー内側より固定抵抗の飛出しがない為、電池パック内の限られた空間スペースを有効に活用することができ、携帯通信機に求められている、電池パックの小型化への要望を満足させることができるものである。また、固定抵抗は、端子ホルダーの貫通孔の内部に位置することにより、外部からの衝撃を直接受けにくく、部品の損傷を防止することができるものである。
【００１５】
【実施例】
以下、本発明の実施例について、図面を参照しながら説明する。
【００１６】
図１は本実施例における電池パックの概略構成を示す斜視図である。
【００１７】
図１において、１ａは円筒密閉型のニッケル−水素蓄電池であり、合計４個の電池を接続リード板により、長手方向に２個、２列からなる電池ブロック１を構成している。２は上ケース、３は下ケースであり、共にＡＢＳ樹脂により成形されており、超音波溶着により相互に接合される。４はＰＢＴ樹脂により成形された端子ホルダーである。５はバス配線であり、その配線リードの一部に炭素被膜固定抵抗５ａが半田付けにより接続固定されている。４ａは、端子ホルダー４に設けられた貫通孔であり、端子ホルダー４をバス配線５の内側に嵌合させた際に、この貫通孔４ａに炭素被膜固定抵抗５ａが位置し、端子ホルダー４の内側からもこの貫通孔４ａを通して炭素被膜固定抵抗５ａを直接目視確認することができる。その後、下ケース３に設けられた位置決めピン３ａを端子ホルダーの透孔４ｂに挿入嵌合させ、端子ホルダー４を下ケース３に位置決めする。
【００１８】
図２は、本実施例におけるバス配線５の斜視図である。５ａは配線リードの一部に半田付けにより接続固定された炭素被膜固定抵抗、５ｂは配線リードの一部となっている出入力端子部であり、ニッケルの薄板で構成されている。５ｃは配線リードの両面に貼り合わされた絶縁性のフィルムであり、複数の配線リードを相互位置と間隔を保って固定している。５ｄは、炭素被膜固定抵抗５ａと当接する位置にあけられた孔である。
【００１９】
【発明の効果】
以上のように本発明によれば、複数の素電池を接続リード板により直列接続した電池ブロックと、略Ｌ字型に形成された複数の薄板状の配線リードを、その両面に張り合わせた絶縁フィルムでその相互位置と間隔に保持したバス配線と、バス配線の配線リードの一部に、その両端リード部を接続固定した固定抵抗と、電池ブロックを内部に収容する合成樹脂製の上ケースおよび下ケースと、上ケースまたは下ケースのいずれか一方に設けた端子露出部に、バス配線の一部に形成した出入力端子を臨ませるとともに、バス配線の形状に合致してその内側に位置する端子ホルダーとを備え、端子ホルダーおよびバス配線には、固定抵抗と当接する位置に貫通孔が設けられており、電池パックの容量を識別する固定抵抗を、電池パックの製造工程において目視確認作業が行いやすい様に構成することができ、その誤使用を未然に防止できる電池パックを提供することができる。
【００２０】
また、固定抵抗の厚みを端子ホルダーの板厚より薄いものを使用することにより、端子ホルダー内側より固定抵抗の飛出しが無くなり、電池パック内のスペースを有効に活用できる為、電池パックの小型化への要望を満足させることができるばかりでなく、製造工程においても、固定抵抗は、直接外部からの衝撃を受けにくくなる為、部品の損傷を防止することができる電池パックを提供することができる。
【図面の簡単な説明】
【図１】本発明の実施例における電池パックの概略構成を示す斜視図
【図２】本発明の実施例におけるバス配線を示す斜視図
【符号の説明】
１  電池ブロック
１ａ  素電池
２  上ケース
３  下ケース
４  端子ホルダー
４ａ  貫通孔
４ｂ  透孔
５  バス配線
５ａ  固定抵抗
５ｂ  出入力端子
５ｃ  絶縁性フィルム
５ｄ  孔
【図１】
0003617315.tif 000002
【図２】
0003617315.tif 000003